(57)【要約】【課題】  駆動モーターを使用した複雑なカード出し入れ機構が不要になり、低コストでコンパクトに製造でき、変形したカードや表面に汚物等が付着したカードの取り出しを容易に行なうことができるカードホルダーを提供する。【解決手段】  カード８の挿入側端部が当接されると共に、カード８の排出方向に常に回動付勢されるカード排出プレート２と、一端がカード排出プレート２に連係され他端にカード係止部４ｃを備えたロックプレート４と、ロックプレート４がカード８の排出側端部を係止した状態で固定するロック部４ｄ及び６ａを備えると共に、カード８の挿脱方向にスライド可能なイジェクトレバー（ロック解除プレート）６設ける。イジェクトレバー（ロック解除プレート）６は、ロック解除後においても更なる押込み操作が許容され、カード排出プレート２を強制的に押圧回動できるようする。【選択図】  図１
2005038287.tif 000002
【特許請求の範囲】
【請求項１】
カードの挿入側端部が当接されると共に、カードの排出方向に常に回動付勢されるカード排出プレートと、一端がカード排出プレートに連係され他端にカード係止部を備えたロックプレートと、該ロックプレートがカードの排出側端部を係止した状態で固定するロック部を備えると共に、カードの挿脱方向にスライド可能なロック解除プレートを有することを特徴とするカードホルダー。
【請求項２】
ロック解除プレートは、ロック解除後においても更なる押込み操作が許容され、カード排出プレートを強制的に押圧回動できるようにされていることを特徴とする請求項１記載のカードホルダー。
【発明の詳細な説明】
【技術分野】
【０００１】
本発明は、カードホルダーに関するもので、とくに病院やホテル等においてテレビ等の各種電気機器を有料で使用する際に、ＩＣカードを用いて電気機器の利用及び利用料金の精算処理を行なうカードタイマー装置に適用されるカードホルダーのカードロック及び排出機構に関するものである。
【背景技術】
【０００２】
従来、病院等において、入院患者が、病室に設置された電気機器、例えばテレビの視聴料金を精算する技術として、磁気カードやＩＣカード方式のタイマー装置を用いたものがある。この方式は、テレビの視聴（利用）可能度数を予め記録したカードをタイマー装置に挿入し、カードに記録された視聴可能度数に応じた所定時間内での視聴を可能としている（例えば、特許文献１参照。）。
【０００３】
ところで、上述のようなタイマー装置のカードホルダーにおけるカードの挿入及び排出は、通常、駆動モーターを備えたカード出し入れ機構により行なっているが、機構が複雑で製造コストが嵩む。そこで、電子手帳などの小型電子機器には、カードを手動で排出させる機構を備えたものがある。このような小型電子機器のカード排出機構では、カード挿入口の近傍に設けられたイジェクト釦を押圧操作することにより、挿入されたカードが押し出される構造になっている。すなわち、イジェクト釦の押圧操作により、ホルダー内の回動レバーが回動してカードの押圧力に変える構成にされており、このような機構は構成が簡単であるためカードホルダーをコンパクトにすることができるという利点がある（例えば、特許文献２参照。）。
【０００４】
【特許文献１】特開２０００−３１５２８１号公報（第２頁−第３頁、図１）
【特許文献２】特開２００１−２６７０１２号公報（第２頁−第３頁、図１−図２）
【発明の開示】
【発明が解決しようとする課題】
【０００５】
しかしながら、上記従来の手動式カード排出機構においては、挿入口からのカードの排出ストローク及び排出力が比較的小さいため、カードの変形や表面に付着した汚物等が原因でカードの取り出しが困難になる場合がある。本発明は上記従来技術の課題に鑑みなされたものであり、カード取り出しの操作性に優れたコンパクトで経済的に製造できるカードホルダーを提供することを目的とするものである。
【課題を解決するための手段】
【０００６】
そこで本発明のカードホルダーは、カードの挿入側端部が当接されると共に、カードの排出方向に常に回動付勢されるカード排出プレートと、一端がカード排出プレートに連係され他端にカード係止部を備えたロックプレートと、該ロックプレートがカードの排出側端部を係止した状態で固定するロック部を備えると共に、カードの挿脱方向にスライド可能なロック解除プレートを有することを第１の特徴とする。また、ロック解除プレートは、ロック解除後においても更なる押込み操作が許容され、カード排出プレートを強制的に押圧回動できるようにされていることを第２の特徴とする。
【発明の効果】
【０００７】
本発明によれば、駆動モーターを使用した複雑なカード出し入れ機構が不要になり、低コストでコンパクトなカードホルダーを製造できる。また、変形したカードや表面に汚物等が付着したカードの取り出しを容易に行なうことができる。
【発明を実施するための最良の形態】
【０００８】
次に、本発明の実施の形態を図面に示す実施例に基づいて説明する。
図１は本発明に係るカードホルダーのカード未挿入の状態（初期状態）を示す（ａ）は平面図、（ｂ）は側面図、図２は図１のＡ−Ａ線断面図、図３及び図４はカードロック及び排出機構の初期状態を示す要部斜視図、図５は本発明に係るカードホルダーのカード挿入状態（カード保持状態）を示す（ａ）は平面図、（ｂ）は側面図、図６は図５のＢ−Ｂ線断面図、図７及び図８はカードロック及び排出機構のカード保持状態を示す要部斜視図、図９は本発明に係るカードホルダーのカード排出状態（自然排出状態）を示す（ａ）は平面図、（ｂ）は側面図、図１０は図９のＣ−Ｃ線断面図、図１１及び図１２はカードロック及び排出機構のカード排出状態（自然排出状態）を示す要部斜視図、図１３は本発明に係るカードホルダーのカード排出状態（強制排出状態）を示す（ａ）は平面図、（ｂ）は側面図、図１４は図１３のＤ−Ｄ線断面図、図１５及び図１６はカードロック及び排出機構のカード排出状態（強制排出状態）を示す要部斜視図である。
【実施例】
【０００９】
図示するように、本発明に係るカードホルダー１０には、カード挿入口１ａを有するホルダー部１に、略扇状のカード排出プレート２、ロックプレート４及びイジェクトレバー（ロック解除プレート）６とからなるカードロック及び排出機構９が取り付けられ、ホルダー部１に挿入されたカード８のロック保持及び排出操作を手動で行なうようにされている。以下、カードの挿入及び排出の各操作に対応させながら本発明装置の構成を説明する。
【００１０】
図１乃至図４に示すように、先ず、カード８が未挿入の状態（初期状態）におけるカードロック及び排出機構９は、カード排出プレート２の下面に突設されたカード排出ボス２ａが、スプリング３によってカード排出方向（図中左方向）に常に付勢され、同時にカード排出プレート２の下面に突設された段差部２ｂが、ロックプレート４の一端（カード挿入側）に立設された突起４ｂを押下しており、ロックプレート４の他端（カード排出側）に設けられたカード係止ピン４ｃが上方に持ち上げられた状態となっている。すなわち、ロックプレート４は支軸４ａを中心にその両端が左右上方に向かって僅かに傾斜して形成されており、ロックプレート４の一端側を押し下げることで、他端側が持ち上がるようにシーソー状に軸承して取り付けられている。この時、イジェクトレバー６は、スプリング７によって常にカード挿入口側方向（図中、左方向）へ付勢されている。
【００１１】
次に、図５乃至図８に示すように、カード挿入口１ａからカード８が挿入されると、挿入されたカード８の先端がカード排出ボス２ａに当接する。そして人手により押し込まれることによって、カード排出プレート２がスプリング３の付勢力に抗して回動する。このカード排出プレート２が回動することにより、段差部２ｂとロックプレート４の突起４ｂとの係合が外れ、同時にロックプレート４の支軸４ａに取り付けられたスプリング５によって、カード係止ピン４ｃが付勢されて下降し、挿入されたカード８の挿入口側端部を係止する。その際、ロックプレート４の側方に突設されたロックピン４ｄが、イジェクトレバー６に穿孔されたロックピン嵌合孔６ａに嵌入してロック状態となり、カード８はホルダー部１０に挿入された状態で保持される。
【００１２】
図９乃至図１２に示すように、カード８の取り出しは、イジェクトレバー６をカード挿入方向に押圧することで行なう。すなわち、イジェクトレバー６を押し込みスライドさせると、ロックピン嵌合孔６ａに嵌合していたロックプレート４のロックピン４ｄが、ロックピン嵌合孔６ａに連続して穿孔されたガイド孔６ｂを摺動して持ち上げられ、ロックプレート４並びにカード係止ピン４ｃを上昇させる。同時に、ロックプレート４の先端側の突起４ｂが支軸４ａを起点に下降し、カード排出プレート２がスプリング３によって引き戻されて回動することにより、段差部２ｂが突起４ｂの上面に乗り上げて再度係合し、初期状態に戻り、カード排出プレート２のカード排出ボス２ａに押圧されてカード８は自動的に排出される。
【００１３】
尚、本発明では、挿入されたカード８に反り等の変形があったり、表面に付着した汚れが原因で、カード８のばね力による自動排出が円滑に行われなかった場合、図１３乃至図１６に示すように、イジェクトレバー６の更なる押込み操作が許容できるようにされている。すなわち、カード排出プレート２の回動軸の側方部分に凹所２ｃを設けると共に、この凹所２ｃに嵌合する爪６ｃをイジェクトレバー６の先端に設け、イジェクトレバー６の押圧によるロック解除後においても、カード排出プレート２をイジェクトレバー６の先端で強制的に押圧して回動させ、カード８を排出ボス２ａによって更に押し出して排出することができるようにされている。
【産業上の利用可能性】
【００１４】
本発明は、とくに病院等に設置された電気機器、例えば、テレビ、電話、冷蔵庫等の使用料金を精算する際の磁気カードやＩＣカード方式のタイマー装置のカードホルダーとして好適であるが、上記実施例に限定されず、種々の応用変形が可能であり、パソコンや電子手帳等の電子機器のカードホルダーとしても有効であることは言うまでもない。
【図面の簡単な説明】
【００１５】
【図１】本発明に係るカードホルダーのカード未挿入の状態（初期状態）を示す（ａ）は平面図、（ｂ）は側面図である。
【図２】図１のＡ−Ａ線断面図である。
【図３】カードロック及び排出機構の初期状態を示す要部斜視図である。
【図４】カードロック及び排出機構の初期状態を示す要部斜視図である。
【図５】本発明に係るカードホルダーのカード挿入状態（カード保持状態）を示す（ａ）は平面図、（ｂ）は側面図である。
【図６】図５のＢ−Ｂ線断面図である。
【図７】カードロック及び排出機構のカード保持状態を示す要部斜視図である。
【図８】カードロック及び排出機構のカード保持状態を示す要部斜視図である。
【図９】本発明に係るカードホルダーのカード排出状態（自然排出状態）を示す（ａ）は平面図、（ｂ）は側面図である。
【図１０】図９のＣ−Ｃ線断面図である。
【図１１】カードロック及び排出機構のカード排出状態（自然排出状態）を示す要部斜視図である。
【図１２】カードロック及び排出機構のカード排出状態（自然排出状態）を示す要部斜視図である。
【図１３】本発明に係るカードホルダーのカード排出状態（強制排出状態）を示す（ａ）は平面図、（ｂ）は側面図である。
【図１４】図１３のＤ−Ｄ線断面図である。
【図１５】カードロック及び排出機構のカード排出状態（強制排出状態）を示す要部斜視図である。
【図１６】カードロック及び排出機構のカード排出状態（強制排出状態）を示す要部斜視図である。
【符号の説明】
【００１６】
１    ホルダー部
１ａ  カード挿入口
２    カード排出プレート
２ａ  カード排出ボス
２ｂ  段差部
２ｃ  押圧爪係合凹所
３    スプリング（カード排出プレート付勢用）
４    ロックプレート
４ａ  支軸
４ｂ  突起
４ｃ  カード係止ピン
４ｄ  ロックピン
５    スプリング（ロックプレート付勢用）
６    イジェクトレバー（ロック解除プレート）
６ａ  ロックピン嵌合孔
６ｂ  ロックピンガイド孔
６ｃ  カード排出プレート押圧爪
７    スプリング（イジェクトレバー付勢用）
８    カード
９    カードロック及び排出機構
１０  カードホルダー
【図１】
2005038287.tif 000003
【図２】
2005038287.tif 000004
【図３】
2005038287.tif 000005
【図４】
2005038287.tif 000006
【図５】
2005038287.tif 000007
【図６】
2005038287.tif 000008
【図７】
2005038287.tif 000009
【図８】
2005038287.tif 000010
【図９】
2005038287.tif 000011
【図１０】
2005038287.tif 000012
【図１１】
2005038287.tif 000013
【図１２】
2005038287.tif 000014
【図１３】
2005038287.tif 000015
【図１４】
2005038287.tif 000016
【図１５】
2005038287.tif 000017
【図１６】
2005038287.tif 000018